(57)【要約】【課題】上部に設けた扉の底面にも手掛け部を設け、使用者の好みや身長などによって手掛け部を選ぶことにより、誰でも容易に扉を開閉することのできる冷蔵庫を提供する。【解決手段】上下方向に複数の室を有する冷蔵庫において、少なくとも最上部の室を開閉する扉３の側面、天面及び底面の３面に手掛け部８、１０、１２を設けた。【選択図】図１
2011106696.tif 000002
【特許請求の範囲】
【請求項１】
上下方向に複数の室を有する冷蔵庫において、
少なくとも最上部の室を開閉する扉の側面、天面及び底面の３面に手掛け部を設けたことを特徴とする冷蔵庫。
【請求項２】
前記扉の自由端の側面の上下方向に側面手掛け部を設けると共に、天面に天面手掛け部を、底面に底面手掛け部を設け、前記天面手掛け部と底面手掛け部とを前記側面手掛け部に連続させたことを特徴とする請求項１記載の冷蔵庫。  
【請求項３】
前記天面手掛け部と底面手掛け部とを、前記扉の自由端から該扉の幅方向の５０％以上の範囲に設けたことを特徴とする請求項２記載の冷蔵庫。
【請求項４】
前記底面手掛け部を扉の底面を形成する背面側扉キャップに設けた凹部と、該凹部の前面側に設けた前面側扉キャップとによって構成し、前記扉と対向する下部の室の扉の天面に設けた背面側扉キャップに、前面側に向って下方に傾斜する傾斜面を設けたことを特徴とする請求項１〜３のいずれかに記載の冷蔵庫。
【発明の詳細な説明】
【技術分野】
【０００１】
本発明は、冷蔵庫に係り、より詳しくは、扉に設けた手掛け部に関するものである。
【背景技術】
【０００２】
従来の冷蔵庫に、上段に開閉自在の扉を有する冷凍室が設けられ、下段に開閉自在の扉を有する冷蔵室が設けられて、冷凍室の扉に、扉の回転軸から遠い側の側面と上面とに凹状の手掛け部を設け、冷蔵室の扉には、回転軸からの遠い側の側面に凹状の手掛け部を設けたものがある（例えば、特許文献１参照）。
【先行技術文献】
【特許文献】
【０００３】
【特許文献１】特開２００９−１６８３０２号公報（第４−５頁、図１−３）
【発明の概要】
【発明が解決しようとする課題】
【０００４】
特許文献１に記載された冷蔵庫の冷凍室の扉は、扉の側面又は上面に設けた手掛け部に手を掛けて開閉し、冷蔵室の扉は側面に設けた手掛け部に手を掛けて開閉するようになっているが、扉の下面に手を掛けて開閉することができないため使い勝手が悪く、特に背の高い冷蔵庫の場合、上部の扉の開閉が不便であった。
【０００５】
本発明は上記の課題を解決するためになされたもので、上部に設けた扉の底面にも手掛け部を設け、使用者の好みや身長などによって手掛け部を選ぶことにより、誰でも容易に扉を開閉することのできる冷蔵庫を提供することを目的としたものである。
【課題を解決するための手段】
【０００６】
本発明は、上下方向に複数の室を有する冷蔵庫において、少なくとも最上部の室を開閉する扉の側面、天面及び底面の３面に手掛け部を設けたものである。
【発明の効果】
【０００７】
本発明によれば、扉の３面に設けた手掛け部を、使用者の好みや身長などに応じて適宜選ぶことにより、誰でも容易に扉を開閉することができるので、使い勝手のよい冷蔵庫を得ることができる。
【図面の簡単な説明】
【０００８】
【図１】本発明の一実施の形態に係る冷蔵庫の斜面図である。
【図２】図１の冷蔵室扉の上部近傍の斜視図である。
【図３】図２のＡ−Ａ断面図である。
【図４】図１の冷蔵室扉の下部近傍の斜視図である。
【図５】図４のＢ−Ｂ断面図である。
【発明を実施するための形態】
【０００９】
本発明の一実施形態に係る冷蔵庫の斜視図である図１において、１は冷蔵庫本体、２は冷蔵庫本体１を構成する外箱である。３は内部が複数の部屋に仕切られて、冷蔵庫本体１の最上段に設けられた冷蔵室の扉（以下、冷蔵室扉という）、４は複数の部屋に仕切られて冷蔵庫本体１の中段に設けられた野菜室の扉（以下、野菜室扉という）、５は冷蔵庫本体１の最下段に設けられた冷凍室の扉（以下、冷凍室扉という）である。
【００１０】
６ａは冷蔵室扉３を支持する上軸、６ｂは同じく下軸である。７は冷蔵室扉３の側面の上下方向に設けられた側面手掛け部８を形成する側面凹部、９は冷蔵室扉３の天面に設けられた天面手掛け部１０を形成する天面凹部、１１は冷蔵室扉３の底面に設けられた底面手掛け部１２を形成する底面凹部である。１３は野菜室扉４に設けた野菜室扉取っ手、１４は冷凍室扉５に設けた冷凍室扉取っ手である。
【００１１】
図２は図１の冷蔵室扉の上部近傍の斜視図、図３は図２のＡ−Ａである。
両図において、１５ａは前面側の一部がＬ字状に下方に折り曲げられて、冷蔵室扉３の天面を形成する上部背面側扉キャップ、１６ａは上部背面側扉キャップ１５ａの前面側に配設されたほぼ逆Ｕ字状の上部前面側扉キャップで、両者の間には天面手掛け部１０を構成する天面凹部９が形成されている。なお、この天面凹部９は、冷蔵室扉３の支持部の反対側（以下、自由端という）から支持部側に向って、幅方向の５０％以上の範囲に設けられており、その自由端側は側面手掛け部８を構成する側面凹部７の上部と連続している。
【００１２】
１７は冷蔵室扉３の前面側に設けられた冷蔵室扉外装パネル、１８は冷蔵室扉３の冷蔵室２０側に設けられた冷蔵室扉内板で、その上部の上部背面側扉キャップ１５ａの近傍には、内板凹部１９が設けられている。そして、この内板凹部１９には、ガスケット２２の突部２３が圧入固定されており、ガスケット２２の背面側に設けた袋内にはマグネット２４が収容され、これらにより冷蔵室扉３のシール部２１が形成されている。
【００１３】
２５は冷蔵室扉外装パネル１７と冷蔵室扉内板１８との間に充填された断熱材である。なお、２ａは冷蔵庫本体１を構成する外箱２の上面から前面側にかけて設けられた鋼板製の外箱外装パネルである。
【００１４】
図４は図１の冷蔵室扉の下部近傍の斜視図、図５は図４のＢ−Ｂ断面図である。なお、図１〜図３と同じ部分にはこれと同じ符号が付してある。
両面において、１５ｂは前面側の一部がＬ字状に上方に折り曲げられて、冷蔵室扉３の底面を形成する下部背面側扉キャップ、１６ｂは下部背面側扉キャップ１５ｂの前面側に配設されたほぼＵ字状の下部前面側扉キャップで、両者の間には底面手掛け部１２を構成する底面凹部１１が形成されている。なお、この底面凹部１１は、冷蔵室扉３の自由端から幅方向の５０％以上の範囲に設けられており、その自由端側は、側面手掛け部８を構成する側面凹部７の下部と連続している。
【００１５】
また、冷蔵室内板１８の下部背面側扉キャップ１５ｂの近傍には、図３で説明した内板凹部１９と連続する内板凹部１９が設けられており、この内板凹部１９には、上部の内板凹部１９に設けたマグネット２４を有するガスケット２２と連続するガスケット２２が設けられている。
【００１６】
２６は冷蔵室２０の下部に設けられた野菜室３０の野菜室扉４の天板を形成する野菜室背面側扉キャップで、その上面には前面側に向って斜め下方に傾斜するキャップ斜面２６ａが形成されており、冷蔵室扉３の下面との間にすき間が形成されている。２７は野菜室背面側扉キャップ２６の前面側に配設された野菜室前面側扉キャップで、野菜室扉外装パネル２８が取付けられている。２９は野菜室扉内板で、野菜室背面側キャップ２６の近傍には内板凹部２９ａが設けられており、マグネット２４を有するガスケット２２が取付けられて、シール部２１を形成している。２５は野菜室扉外装パネル２８と野菜室扉内板２９との間に充填された断熱材である。
【００１７】
３１は冷蔵室２０と野菜室３０とを仕切る仕切り部材で、前面側には鋼板製の仕切り部材前面パネル３２が設けられており、内部には断熱材２５が充填されている。
【００１８】
本実施の形態に係る冷蔵庫の冷蔵室扉３は図１、図２に示すように、冷蔵庫本体１にねじで固定された上軸６ａと、図１、図４に示すように、仕切り部材３１の仕切り部材前面パネル３２に、上軸６ａの中心軸と同一線上においてねじで固定された下軸６ｂとが、冷蔵室扉３の上部と下部に設けた嵌合穴（図示せず）に嵌合されて、回転自在に支持されている。
【００１９】
また、冷蔵室扉外装パネル１７は、その上下が冷蔵室扉３の上部と下部の前面側扉キャップ１６ａ、１６ｂの溝に嵌入して取付けられている。なお、断面材２５はＵ字状の前面側扉キャップ１６ａ、１６ｂの内部まで充填されている。
【００２０】
上記のように構成した冷蔵庫において、冷蔵室２０に被冷蔵物を収納し又は取出す場合は、冷蔵室扉３に設けた側面手掛け部８、天面手掛け部１０又は底面手掛け部１２のいずれかに手を掛けて手前に引けば、冷蔵室扉３は上軸６ａと下軸６ｂを軸に回転し、冷蔵室２０の前面開口部を開放する。また、開放されている冷蔵室扉３の自由端側を押せば、冷蔵室扉３は上軸６ａと下軸６ｂを軸に回転し、前面開口部を閉じる。
【００２１】
このとき、冷蔵室扉３の冷蔵室扉内板１８に設けたシール材２１のガスケット２２に設けたマグネット２４が、冷蔵庫本体１の外装パネル２ａ及び仕切り部材３１の仕切り部材前面パネル３２に引き寄せられて吸着し、ガスケット２２と共に前面閉口部を密封して、冷蔵庫本体１を取巻く外気から遮断する。
この状態では、天面凹部９と底面凹部１２は側面凹部７と連続しており、また、上下の前面側扉キャップ１６ａ、１６ｂは、側面手掛け部８と連続した面となっている。
【００２２】
ところで、本実施の形態において、冷蔵室扉３の底面に設けた底面手掛け部１２を構成する底面凹部１１を、図５に破線で示すように深くして、下部前面側扉キャップ１６ｂを下部背面側扉キャップ１５ｂより高い位置に設け、下面凹部１１に手が入り易いように構成することも考えられる。しかし、このように構成すると、底面凹部１１と冷蔵室扉内板１８との間が狭くなってここに充填される断熱材２５が薄くなり、断熱性能を損うおそれがあるため、好ましくない。
【００２３】
本実施の形態においては、下部前面側扉キャップ１６ｂの下端部を、下部背面側扉キャップ１５ｂの下面と同じ高さ位置にして底面凹部１１を低い位置に設けると共に、下部の野菜室扉４の野菜室背面側扉キャップ２６にキャップ斜面２６ａを設けて手が入り易いようにしたので、底面凹部１１と冷蔵扉内板１８との間が広くなり、ここに充填される断熱材２５を厚くすることができるので、断熱性を確実に確保することができる。また、底面凹部１１は下部前面側扉キャップ１６ｂに隠れて見えないので、意匠性を向上することができる。
【００２４】
上記のように構成した本実施の形態によれば、冷蔵庫の最上部に位置する冷蔵室２０の冷蔵室扉３に、側面及び天面に手掛け部８、１０を設けると共に底面にも手掛け部１２を設けたので、日本人の平均身長による持ち手高さは勿論、子供や背の高い人、さらに椅子に腰掛けた人などが、いずれかの手掛け部８、１０、１２に手を掛けて冷蔵室扉３を開閉することができるので便利であり、さらに、平均身長の異なる外国人にも受け入れ易い冷蔵庫を提供することができる。
【００２５】
また、天面手掛け部１０及び底面手掛け部１２を構成する上面凹部９及び底面凹部１２の自由端側を、側面手掛け部８を構成する側面凹部７の上下と連続させるようにしたので、２７０°の範囲で開放された手掛け状態となり、縦、横方向だけでなく、様々な方向から手を掛けることができるため、冷蔵室扉３の開閉が容易で使い易い。
【００２６】
さらに、使用者が立った状態では、底面手掛け部１２に手を掛ける底面凹部１１の位置が、下部前面側扉キャップ１６ｂの隠になって見えにくいおそれがあるが、本実施の形態においては、下部背面側扉キャップ１５ｂの底面凹部１１の始点Ａと、野菜室背面側扉キャップ２６のキャップ斜面２６ａの始点Ｂとをほぼ同じ位置にしたので、使用者は底面手掛け部１２へ容易に手を掛けることができる。
これらにより、使い勝手のよい冷蔵庫を得ることができる。
【００２７】
また、本実施の形態によれば、冷蔵室扉３の上面構成部品である上部前面側扉キャップ１６ａと、底面構成部品である下部前面側扉キャップ１６ｂとを共通化することにより、冷蔵室外装パネル１７を変えるだけで、意匠性、使い易さを保ったままシリーズ化することが容易になり、使用者の好みに合った意匠の冷蔵庫を提供することができる。また、これにより、シリーズ化のための金型などの生産設備を抑制することができる。
【００２８】
上記の説明では、図示の冷蔵庫に本発明を実施した場合を示したが、これに限定するものではなく、例えば観音開きの扉など、他の構造の冷蔵庫にも本発明を実施することができる。
また、上記の説明では、最上段に設けた冷蔵室の冷蔵室扉に本発明を実施した場合を示したが、最上段が冷蔵室以外の室であってもよく、さらに、最上段以外の室の扉にも本発明を実施することができる。
【符号の説明】
【００２９】
１  冷蔵庫本体、３  冷蔵室扉、４  野菜室扉、７  側面凹部、８  側面手掛け部、９  天面凹部、１０  天面手掛け部、１１  底面凹部、１２  底面手掛け部、１５ｂ  下部背面側扉キャップ、１６ｂ  下部前面側扉キャップ、１７  冷蔵室扉外装パネル、１８  冷蔵室扉内板、２０  冷蔵室、２２  ガスケット、２５  断熱材、２６  野菜室背面側扉キャップ、２６ａ  キャップ斜面、３０  野菜室、３１  仕切り部材。
【図１】
2011106696.tif 000003
【図２】
2011106696.tif 000004
【図３】
2011106696.tif 000005
【図４】
2011106696.tif 000006
【図５】
2011106696.tif 000007